(57)【要約】【課題】宇宙の構成は、4％が通常の物質で、22％はダークマターで、74％はダークエネルギーであるといわれている。私は、ダークマターが作るエネルギーがダークエネルギーであると考える。宇宙のダークマターが1秒間に作る磁気の光子のエネルギーは、宇宙の原子が1秒間に作る磁気の光子のエネルギーの何倍か。【解決手段】ダークマターの数は物質になっている原子の数の360倍です。10−14m時代、宇宙のダークマターが1秒間に作る磁気の光子のエネルギーは、ダークマターの数×4.468×10−17Jです。宇宙の原子が1秒間に作る磁気の光子のエネルギーは、ダークマターの数÷360×7.382×10−16Jです。これは、ダークマターの数×4.468×10−17J÷(ダークマターの数÷360×7.382×10−16J)＝21.789倍です。宇宙のダークマターが作るエネルギー：原子が作るエネルギー＝95.612％：4.388％、です。【選択図】図１
2014087112.tif 000002
【特許請求の範囲】
【請求項１】
現代(10−14m時代)、原子のエネルギー：ダークマターのエネルギーはいくらか。
ダークマター数と原子数の比は、360：１です。
地表のA=1で、1℃です。原子の温度を1℃とします。
ダークマターのA=-16.523で、−273℃です。
それで、地表の原子数の比×原子の温度1/2=1×1＝1
ダークマター数の比×ダークマターの温度1/2=360×1÷16.523＝21.788
よって、現代(10−14m時代)、原子のエネルギー：ダークマターのエネルギー＝1：21.788、です。
【請求項２】
原子のエネルギーを４％とすると、ダークマターのエネルギーは何％か。
原子のエネルギーを４％とすると、ダークマターのエネルギーは、４％×21.788＝87.152％です。
【請求項３】
現代(10−14m時代)の、全てのダークマターが1秒間に作る磁気の光子のエネルギーはいくらか。
全てのダークマターが1秒間に作る磁気の光子のエネルギー＝全てのダークマター数×10−14m時代のダークマターが1秒間に作る磁気の光子のエネルギー
ビッグバンの以前、素粒子になった電磁気のエネルギーが１Jの場合、全てのダークマター数は、1.077×1079個です。
ビッグバンの以前、素粒子になった電磁気のエネルギーが8.665Jの場合、全てのダークマター数は、4.554×1084個です。
10−14m時代、
ダークマターである自転する電子のラブが1秒間に作る磁気の光子のエネルギーは、4.468×10−17Jです。
ダークマターである自転する陽子のラブが1秒間に作る磁気の光子のエネルギーは、2.433×10−20Jです。
それで、ダークマターである自転する電子のラブが1秒間に作る磁気の光子のエネルギーは、4.468×10−17Jです。
全てのダークマター数が、1.077×1079個の場合。
全てのダークマターが1秒間に作る磁気の光子のエネルギー＝1.077×1079個×4.468×10−17J＝4.812×1062J
全てのダークマター数が、4.554×1084個の場合。
全てのダークマターが1秒間に作る磁気の光子のエネルギー＝4.554×1084個×4.468×10−17J＝2.035×1068J、です。
【請求項４】
現代(10−14m時代)の、全ての原子が1秒間に作る磁気の光子のエネルギーはいくらか。
原子が1秒間に作る磁気の光子のエネルギー＝原子が1秒間に作る電気の光子のエネルギー
原子が1秒間に作る磁気の光子のエネルギー＝ボーア磁子×7.96×107回＝9.274×10−24J×7.96×107回＝7.382×10−16J
よって、全てのダークマター数が1.077×1079個の場合。
原子数＝1.077×1079個÷360＝2.992×1076個
全ての原子が1秒間に作る磁気の光子のエネルギー＝全ての原子数×原子が1秒間に作る磁気の光子のエネルギー＝2.992×1076個×7.382×10−16J＝2.209×1061J
よって、全てのダークマター数が4.554×1084個の場合。
原子数＝4.554×1084個÷360＝1.265×1082個
全ての原子が1秒間に作る磁気の光子のエネルギー＝全ての原子数×原子が1秒間に作る磁気の光子のエネルギー＝1.265×1082個×7.382×10−16J＝9.338×1066J
【請求項５】
現代(10−14m時代)の、全てのダークマターが1秒間に作る磁気の光子のエネルギーは、全ての原子が1秒間に作る磁気の光子のエネルギーの何倍か。
原子数が1.077×1079個の場合。
全てのダークマターが1秒間に作る磁気の光子のエネルギー÷全ての原子が1秒間に作る磁気の光子のエネルギー＝4.812×1062J÷(2.209×1061J)＝21.784(倍)
原子数が4.554×1084個の場合。
全てのダークマターが1秒間に作る磁気の光子のエネルギー÷全ての原子が1秒間に作る磁気の光子のエネルギー＝2.035×1068J÷(9.338×1066J)＝21.793(倍)
【請求項６】
各時代における、ダークマターが1秒間に作る磁気の光子のエネルギーはいくらか。
各時代におけるダークマターが1秒間に作る磁気の光子のエネルギー。
10−14m時代。
ダークマターである自転する電子のラブが1秒間に作る磁気の光子のエネルギーは、4.468×10−17Jです。
ダークマターである自転する陽子のラブが1秒間に作る磁気の光子のエネルギーは、2.433×10−20Jです。
よって、ダークマターが1秒間に作る磁気の光子のエネルギーは4.468×10−17Jです。
ダークマターが1秒間に作る磁気の光子のエネルギーは、高エネルギーの場になるほど、高エネルギーになる。
○各時代を電子のラブの公転軌道で表し、その公転軌道を10amとすると、ダークマターが1秒間に作る磁気の光子のエネルギーはどのような式で求められるか。
10am時代における、ダークマターが1秒間に作る磁気の光子のエネルギー＝4.468×10−17J×10−14−a＝4.468×10−31−aJ
10-20m時代。
ダークマターが1秒間に作る磁気の光子のエネルギー＝4.468×10−31−aJ＝4.468×10−31＋20J＝4.468×10−11J
10-19m時代。
ダークマターが1秒間に作る磁気の光子のエネルギー＝4.468×10−31＋19J＝4.468×10−12J
10-18m時代。
ダークマターが1秒間に作る磁気の光子のエネルギー＝4.468×10−31＋18J＝4.468×10−13J
10-17m時代。
ダークマターが1秒間に作る磁気の光子のエネルギー＝4.468×10−31＋17J＝4.468×10−14J
10-16m時代。
ダークマターが1秒間に作る磁気の光子のエネルギー＝4.468×10−31＋16J＝4.468×10−15J
10-15m時代。
ダークマターが1秒間に作る磁気の光子のエネルギー＝4.468×10−31＋15J＝4.468×10−16J
10-14m時代。
ダークマターが1秒間に作る磁気の光子のエネルギー＝4.468×10−31＋14J＝4.468×10−17J
10-13m時代。
ダークマターが1秒間に作る磁気の光子のエネルギー＝4.468×10−31＋13J＝4.468×10−18J
10-12m時代。
ダークマターが1秒間に作る磁気の光子のエネルギー＝4.468×10−31＋12J＝4.468×10−19J
10-11m時代。
ダークマターが1秒間に作る磁気の光子のエネルギー＝4.468×10−31＋11J＝4.468×10−20J
10-10m時代。
ダークマターが1秒間に作る磁気の光子のエネルギー＝4.468×10−31＋10J＝4.468×10−21J
【請求項７】
各時代における、原子が1秒間に作る磁気の光子のエネルギーはいくらか。
10−14m時代、
10−14m時代における原子が1秒間に作る磁気の光子のエネルギーは、7.382×10−16Jですから、
10am時代における、原子が1秒間に作る磁気の光子のエネルギーは、7.382×10−16J×10−14−a=7.382×10−30−aJ、です。
10-20m時代。
原子が1秒間に作る磁気の光子のエネルギー＝7.382×10−30＋20J＝7.382×10−10J
10-19m時代。
原子が1秒間に作る磁気の光子のエネルギー＝7.382×10−30＋19J＝7.382×10−11J
10-18m時代。
原子が1秒間に作る磁気の光子のエネルギー＝7.382×10−30＋18J＝7.382×10−12J
10-17m時代。
原子が1秒間に作る磁気の光子のエネルギー＝7.382×10−30＋17J＝7.382×10−13J
10-16m時代。
原子が1秒間に作る磁気の光子のエネルギー＝7.382×10−30+16J＝7.382×10−14J
10-15m時代。
原子が1秒間に作る磁気の光子のエネルギー＝7.382×10−30+15J＝7.382×10−15J
10-14m時代。
原子が1秒間に作る磁気の光子のエネルギー＝7.382×10−30+14J＝7.382×10−16J
10-13m時代。
原子が1秒間に作る磁気の光子のエネルギー＝7.382×10−30+13J＝7.382×10−17J
10-12m時代。
原子が1秒間に作る磁気の光子のエネルギー＝7.382×10−30+12J＝7.382×10−18J
10-11m時代。
原子が1秒間に作る磁気の光子のエネルギー＝7.382×10−30+11J＝7.382×10−19J
10-10m時代。
原子が1秒間に作る磁気の光子のエネルギー＝7.382×10−30+10J＝7.382×10−20J
【請求項８】
360個のダークマターが1秒間に作る磁気の光子のエネルギーの式はどのようであるか。
360個のダークマターが1秒間に作る磁気の光子のエネルギー＝360個×ダークマターが1秒間に作る磁気の光子のエネルギー＝360個×4.468×10−31−aJ＝1.608×10−28−a J.
【請求項９】
360個のダークマターが1秒間に作る磁気の光子のエネルギーは、１個の原子が1秒間に作る磁気の光子のエネルギーの何倍か。
360個のダークマターが1秒間に作る磁気の光子のエネルギー÷１個の原子が1秒間に作る磁気の光子のエネルギー＝1.608×10−28−a J÷(7.382×10−30−aJ)＝21.783(倍)
360個のダークマターが1秒間に作る磁気の光子のエネルギーは、１個の原子が1秒間に作る磁気の光子のエネルギーの21.783倍です。
【請求項１０】
1m3の原子が1秒間に作る磁気の光子のエネルギーの式はどのようであるか。
1m3の原子が1秒間に作る磁気の光子のエネルギー＝1m3の原子数×原子が1秒間に作る磁気の光子のエネルギー＝1030−3a個÷360×7.382×10−30−aJ＝2.510×10−2-4aJ
【請求項１１】
1m3のダークマターが1秒間に作る磁気の光子のエネルギーの式はどのようであるか。
1m3のダークマターが1秒間に作る磁気の光子のエネルギー＝1m3のダークマター数×ダークマターが1秒間に作る磁気の光子のエネルギー＝1030−3a個×4.468×10−31−aJ＝4.468×10−1−4a
【請求項１２】
1m3のダークマターが1秒間に作る磁気の光子のエネルギーは、1m3の原子が1秒間に作る磁気の光子のエネルギーの何倍か。
1m3のダークマターが1秒間に作る磁気の光子のエネルギー÷1m3の原子が1秒間に作る磁気の光子のエネルギー＝4.468×10−1−4a÷(2.510×10−2-4aJ)＝21.784(倍)
1m3のダークマターが1秒間に作る磁気の光子のエネルギーは、1m3の原子が1秒間に作る磁気の光子のエネルギーの21.784倍です。
【請求項１３】
宇宙の原子が1秒間に作る磁気の光子のエネルギー。 原子数＝2.992×1076個の場合の式はどのようであるか。
宇宙の原子が1秒間に作る磁気の光子のエネルギー＝原子が1秒間に作る磁気の光子のエネルギー×原子数＝7.382×10−30−aJ×2.992×1076個＝2.209×1047-aJ
【請求項１４】
宇宙のダークマターが1秒間に作る磁気の光子のエネルギー。ダークマター数＝1.077×1079個の場合の式はどのようであるか。
宇宙のダークマターが1秒間に作る磁気の光子のエネルギー＝ダークマターが1秒間に作る磁気の光子のエネルギー×ダークマター数＝4.468×10−31−aJ×1.077×1079個＝4.812×1048−aJ
【請求項１５】
宇宙のダークマターが1秒間に作る磁気の光子のエネルギーは、宇宙の原子が1秒間に作る磁気の光子のエネルギーの何倍か。ダークマター数＝1.077×1079個の場合。
宇宙のダークマターが1秒間に作る磁気の光子のエネルギー÷宇宙の原子が1秒間に作る磁気の光子のエネルギー＝4.812×10−48−aJ÷(2.209×1047-aJ)＝21.784(倍)
宇宙のダークマターが1秒間に作る磁気の光子のエネルギーは、宇宙の原子が1秒間に作る磁気の光子のエネルギーの21.784倍です。
【請求項１６】
宇宙の原子が1秒間に作る磁気の光子のエネルギー。 原子数＝1.265×1082個の場合の式はどのようであるか。
宇宙の原子が1秒間に作る磁気の光子のエネルギー＝原子が1秒間に作る磁気の光子のエネルギー×原子数＝7.382×10−30−aJ×1.265×1082個＝9.338×1052−aJ.
【請求項１７】
宇宙のダークマターが1秒間に作る磁気の光子のエネルギー。ダークマター数＝4.554×1084個の場合の式はどのようであるか。
宇宙のダークマターが1秒間に作る磁気の光子のエネルギー＝ダークマターが1秒間に作る磁気の光子のエネルギー×ダークマター数＝4.468×10−31−aJ×4.554×1084個＝2.035×1054−aJ.
【請求項１８】
宇宙のダークマターが1秒間に作る磁気の光子のエネルギーは、宇宙の原子が1秒間に作る磁気の光子のエネルギーの何倍か。ダークマター数＝4.554×1084個の場合。
宇宙のダークマターが1秒間に作る磁気の光子のエネルギー÷宇宙の原子が1秒間に作る磁気の光子のエネルギー＝2.035×1054−aJ÷(9.338×1052−aJ)＝21.793(倍)
宇宙のダークマターが1秒間に作る磁気の光子のエネルギーは、宇宙の原子が1秒間に作る磁気の光子のエネルギーの21.793倍です。
【請求項１９】
宇宙のダークマターが1秒間に作る磁気の光子のエネルギーは、宇宙の原子が1秒間に作る磁気の光子のエネルギーの21.793倍であることは、100分率で表すとどのようであるか。
宇宙のダークマターが1秒間に作る磁気の光子のエネルギーは、宇宙の原子が1秒間に作る磁気の光子のエネルギーの21.784倍です。
これを百分率で示す。
宇宙のダークマターが1秒間に作る磁気の光子のエネルギー：宇宙の原子が1秒間に作る磁気の光子のエネルギー＝21.78：１＝ｘ：ｙ    
x＋y＝100    x＝100−ｙ    100−y＝21.78ｙ    100＝22.78ｙ    ｙ＝100÷22.78＝4.390    ｘ＝100−4.390＝95.61
よって、宇宙のダークマターが1秒間に作る磁気の光子のエネルギー：宇宙の原子が1秒間に作る磁気の光子のエネルギー＝21.78：１＝95.61：4.390＝95.61％：4.390％、である。
まとめて表に記す。
表2
2014087112.tif 000005
2014087112.tif 000006
【発明の詳細な説明】
【技術分野】
【０００１】
本発明は、ダークマターに関するものである。
【背景技術】
【０００２】
背景技術については、2012年10月1日に提出した、特願2012−219904、の「ダークマター」と、2012年10月15日に提出した、特願2012−227767、の「ダークマター２」に記した。そして、「ダークマター」と「ダークマター２」に記したことも背景技術になる。
宇宙の構成は、4％が通常の物質で、22％はダークマターで、74％はダークエネルギーであるといわれている。
【先行技術文献】
【非特許文献】
【０００３】
【特許文献１】特願2012−219904
【特許文献２】特願2012−227767
【発明の概要】
【発明が解決しようとする課題】
【０００４】
宇宙の構成は、4％が通常の物質で、22％はダークマターで、74％はダークエネルギーであるといわれている。
私は、ダークマターが作るエネルギーがダークエネルギーであると考える。
１．    現代(10−14m時代)、原子のエネルギー：ダークマターのエネルギーはいくらか。
２．    原子のエネルギーを４％とすると、ダークマターのエネルギーは何％か。
３．    現代(10−14m時代)の、全てのダークマターが1秒間に作る磁気の光子のエネルギーはいくらか。
４．    現代(10−14m時代)の、全ての原子が1秒間に作る磁気の光子のエネルギーはいくらか。
５．    現代(10−14m時代)の、全てのダークマターが1秒間に作る磁気の光子のエネルギーは、全ての原子が1秒間に作る磁気の光子のエネルギーの何倍か。
６．    各時代における、ダークマターが1秒間に作る磁気の光子のエネルギーはいくらか。
７．    各時代における、原子が1秒間に作る磁気の光子のエネルギーはいくらか。
８．    360個のダークマターが1秒間に作る磁気の光子のエネルギーの式はどのようであるか。
９．    360個のダークマターが1秒間に作る磁気の光子のエネルギーは、１個の原子が1秒間に作る磁気の光子のエネルギーの何倍か。
１０．    1m3の原子が1秒間に作る磁気の光子のエネルギーの式はどのようであるか。
１１．    1m3のダークマターが1秒間に作る磁気の光子のエネルギーの式はどのようであるか。
１２．    1m3のダークマターが1秒間に作る磁気の光子のエネルギーは、1m3の原子が1秒間に作る磁気の光子のエネルギーの何倍か。
１３．    宇宙の原子が1秒間に作る磁気の光子のエネルギー。 原子数＝2.992×1076個の場合の式はどのようであるか。
１４．    宇宙のダークマターが1秒間に作る磁気の光子のエネルギー。ダークマター数＝1.077×1079個の場合の式はどのようであるか。
１５．    宇宙のダークマターが1秒間に作る磁気の光子のエネルギーは、宇宙の原子が1秒間に作る磁気の光子のエネルギーの何倍か。ダークマター数＝1.077×1079個の場合。
１６．    宇宙の原子が1秒間に作る磁気の光子のエネルギー。 原子数＝1.265×1082個の場合の式はどのようであるか。
１７．    宇宙のダークマターが1秒間に作る磁気の光子のエネルギー。ダークマター数＝4.554×1084個の場合の場合の式はどのようであるか。
１８．    宇宙のダークマターが1秒間に作る磁気の光子のエネルギーは、宇宙の原子が1秒間に作る磁気の光子のエネルギーの何倍か。ダークマター数＝4.554×1084個の場合の場合。
１９．    宇宙のダークマターが1秒間に作る磁気の光子のエネルギーは、宇宙の原子が1秒間に作る磁気の光子のエネルギーの21.793倍であることは、100分率で表すとどのようであるか。
【課題を解決するための手段】
【０００５】
ダークマターの数は物質になっている原子の数の360倍です。10−14m時代、宇宙のダークマターが1秒間に作る磁気の光子のエネルギーは、ダークマターの数×4.468×10−17Jです。宇宙の原子が1秒間に作る磁気の光子のエネルギーは、ダークマターの数÷360×7.382×10−16Jです。これは、ダークマターの数×4.468×10−17J÷(ダークマターの数÷360×7.382×10−16J)＝21.789倍です。宇宙のダークマターが作るエネルギー：原子が作るエネルギー＝95.612％：4.388％、です。
ダークマターである自転している電子のラブと陽子のラブが1秒間に作る磁気の光子のエネルギーと、ダークマターの個数より、ダークマターが作るエネルギーを計算する。
物質になる原子が1秒間に作る磁気の光子のエネルギー(＝電気の光子のエネルギー)と、原子の個数より、原子が作るエネルギーを計算する。
【発明の効果】
【０００６】
次の事が理解できた。
１．それで、地表の原子数の比×原子の温度1/2=1×1＝1
ダークマター数の比×ダークマターの温度1/2=360×1÷16.523＝21.788
よって、現代(10−14m時代)、原子のエネルギー：ダークマターのエネルギー＝1：21.788、です。
２．原子のエネルギーを４％とすると、ダークマターのエネルギーは、４％×21.788＝87.152％です。
３．全てのダークマター数が、1.077×1079個の場合。
全てのダークマターが1秒間に作る磁気の光子のエネルギー＝1.077×1079個×4.468×10−17J＝4.812×1062J
全てのダークマター数が、4.554×1084個の場合。
全てのダークマターが1秒間に作る磁気の光子のエネルギー＝4.554×1084個×4.468×10−17J＝2.035×1068J、です。
４．全てのダークマター数が、1.077×1079個の場合。
原子数＝1.077×1079個÷360＝2.992×1076個
全ての原子が1秒間に作る磁気の光子のエネルギー＝全ての原子数×原子が1秒間に作る磁気の光子のエネルギー＝2.992×1076個×7.382×10−16J＝2.209×1061J
全てのダークマター数が4.554×1084個の場合。
原子数＝4.554×1084個÷360＝1.265×1082個
全ての原子が1秒間に作る磁気の光子のエネルギー＝全ての原子数×原子が1秒間に作る磁気の光子のエネルギー＝1.265×1082個×7.382×10−16J＝9.338×1066J
５．全てのダークマターが1.077×1079個の場合。
全てのダークマターが1秒間に作る磁気の光子のエネルギー÷全ての原子が1秒間に作る磁気の光子のエネルギー＝4.812×1062J÷(2.209×1061J)＝21.784(倍)
全てのダークマター数が4.554×1084個の場合。
全てのダークマターが1秒間に作る磁気の光子のエネルギー÷全ての原子が1秒間に作る磁気の光子のエネルギー＝2.035×1068J÷(9.338×1066J)＝21.793(倍)
６．10am時代における、ダークマターが1秒間に作る磁気の光子のエネルギー＝4.468×10−17J×10−14−a=4.468×10−31−aJ
７．10am時代における、原子が1秒間に作る磁気の光子のエネルギーは、7.382×10−16J×10−14−a=7.382×10−30−aJ、です。
８．360個のダークマターが1秒間に作る磁気の光子のエネルギー＝360個×ダークマターが1秒間に作る磁気の光子のエネルギー＝360個×4.468×10−31−aJ＝1.608×10−28−a J.
９．360個のダークマターが1秒間に作る磁気の光子のエネルギーは、１個の原子が1秒間に作る磁気の光子のエネルギーの21.783倍です。
１０．1m3の原子が1秒間に作る磁気の光子のエネルギー＝1m3の原子数×原子が1秒間に作る磁気の光子のエネルギー＝1030−3a個÷360×7.382×10−30−aJ＝0.02051×10-4aJ
１１．1m3のダークマターが1秒間に作る磁気の光子のエネルギー＝1m3のダークマター数×ダークマターが1秒間に作る磁気の光子のエネルギー＝1030−3a個×4.468×10−31−aJ＝4.468×10−1−4a
１２．1m3のダークマターが1秒間に作る磁気の光子のエネルギーは、1m3の原子が1秒間に作る磁気の光子のエネルギーの21.784倍です。
１３．宇宙の原子が1秒間に作る磁気の光子のエネルギー＝原子が1秒間に作る磁気の光子のエネルギー×原子数＝7.382×10−30−aJ×2.992×1076個＝2.209×1047-aJ
１４．宇宙のダークマターが1秒間に作る磁気の光子のエネルギー＝ダークマターが1秒間に作る磁気の光子のエネルギー×ダークマター数＝4.468×10−31−aJ×1.077×1079個＝4.812×1048−aJ
１５．宇宙のダークマターが1秒間に作る磁気の光子のエネルギーは、宇宙の原子が1秒間に作る磁気の光子のエネルギーの21.784倍です。
１６．宇宙の原子が1秒間に作る磁気の光子のエネルギー＝原子が1秒間に作る磁気の光子のエネルギー×原子数＝7.382×10−30−aJ×1.265×1082個＝9.338×1052−aJ.
１７．宇宙のダークマターが1秒間に作る磁気の光子のエネルギー＝ダークマターが1秒間に作る磁気の光子のエネルギー×ダークマター数＝4.468×10−31−aJ×4.554×1084個＝2.035×1054−aJ.
１８．宇宙のダークマターが1秒間に作る磁気の光子のエネルギーは、宇宙の原子が1秒間に作る磁気の光子のエネルギーの21.793倍です。
１９．宇宙のダークマターが1秒間に作る磁気の光子のエネルギー：宇宙の原子が1秒間に作る磁気の光子のエネルギー＝21.78：１＝95.612：4.388＝95.612％：4.388％、である。
【図面の簡単な説明】
【０００７】
【図１】ダークマターの数：原子の数＝360：１であることを図示する。ダークマター数と原子数の比は、360：１です。地表のA=1で、1℃です。原子の温度を1℃とします。ダークマターのA=-16.523で、−273℃です。それで、地表の原子数の比×原子の温度1/2=1×1＝1ダークマター数の比×ダークマターの温度1/2=360×1÷16.523＝21.788よって、現代(10−14m時代)の、原子のエネルギー：ダークマターのエネルギー＝1：21.788、です。宇宙のダークマターが1秒間に作る磁気の光子のエネルギーは、宇宙の原子が1秒間に作る磁気の光子のエネルギーの21.784倍です。これを百分率で示す。宇宙のダークマターが1秒間に作る磁気の光子のエネルギー：宇宙の原子が1秒間に作る磁気の光子のエネルギー＝21.78：１＝ｘ：ｙ    x＋y＝100    x＝100−ｙ    100−y＝21.78ｙ    100＝22.78ｙ    ｙ＝100÷22.78＝4.390    ｘ＝100−4.390＝95.61    よって、宇宙のダークマターが1秒間に作る磁気の光子のエネルギー：宇宙の原子が1秒間に作る磁気の光子のエネルギー＝21.78：１＝95.61：4.390＝95.61％：4.390％、であることを図示する。
【発明を実施するための形態】
【０００８】
１．    現代(10−14m時代)、原子のエネルギー：ダークマターのエネルギーはいくらか。
ダークマター数と原子数の比は、360：１です。
地表のA=1で、1℃です。原子の温度を1℃とします。
ダークマターのA=-16.523で、−273℃です。
それで、地表の原子数の比×原子の温度1/2=1×1＝1
ダークマター数の比×ダークマターの温度1/2=360×1÷16.523＝21.788
よって、現代(10−14m時代)、原子のエネルギー：ダークマターのエネルギー＝1：21.788、です。
２．    原子のエネルギーを４％とすると、ダークマターのエネルギーは何％か。
原子のエネルギーを４％とすると、ダークマターのエネルギーは、４％×21.788＝87.152％です。
３．    現代(10−14m時代)の、全てのダークマターが1秒間に作る磁気の光子のエネルギーはいくらか。
全てのダークマターが1秒間に作る磁気の光子のエネルギー＝全てのダークマター数×10−14m時代のダークマターが1秒間に作る磁気の光子のエネルギー
ビッグバンの以前、素粒子になった電磁気のエネルギーが１Jの場合、全てのダークマター数は、1.077×1079個です。
ビッグバンの以前、素粒子になった電磁気のエネルギーが8.665Jの場合、全てのダークマター数は、4.554×1084個です。
10−14m時代、
ダークマターである自転する電子のラブが1秒間に作る磁気の光子のエネルギーは、4.468×10−17Jです。
ダークマターである自転する陽子のラブが1秒間に作る磁気の光子のエネルギーは、2.433×10−20Jです。
それで、ダークマターである自転する電子のラブが1秒間に作る磁気の光子のエネルギーは、4.468×10−17Jです。
全てのダークマター数が、1.077×1079個の場合。
全てのダークマターが1秒間に作る磁気の光子のエネルギー＝1.077×1079個×4.468×10−17J＝4.812×1062J
全てのダークマター数が、4.554×1084個の場合。
全てのダークマターが1秒間に作る磁気の光子のエネルギー＝4.554×1084個×4.468×10−17J＝2.035×1068J、です。
４．    現代(10−14m時代)の、全ての原子が1秒間に作る磁気の光子のエネルギーはいくらか。
原子が1秒間に作る磁気の光子のエネルギー＝原子が1秒間に作る電気の光子のエネルギー
原子が1秒間に作る磁気の光子のエネルギー＝ボーア磁子×7.96×107回＝9.274×10−24J×7.96×107回＝7.382×10−16J
よって、全てのダークマター数が1.077×1079個の場合。
原子数＝1.077×1079個÷360＝2.992×1076個
全ての原子が1秒間に作る磁気の光子のエネルギー＝全ての原子数×原子が1秒間に作る磁気の光子のエネルギー＝2.992×1076個×7.382×10−16J＝2.209×1061J
よって、全てのダークマター数が4.554×1084個の場合。
原子数＝4.554×1084個÷360＝1.265×1082個
全ての原子が1秒間に作る磁気の光子のエネルギー＝全ての原子数×原子が1秒間に作る磁気の光子のエネルギー＝1.265×1082個×7.382×10−16J＝9.338×1066J
５．    現代(10−14m時代)の、全てのダークマターが1秒間に作る磁気の光子のエネルギーは、全ての原子が1秒間に作る磁気の光子のエネルギーの何倍か。
原子数が1.077×1079個の場合。
全てのダークマターが1秒間に作る磁気の光子のエネルギー÷全ての原子が1秒間に作る磁気の光子のエネルギー＝4.812×1062J÷(2.209×1061J)＝21.784(倍)
原子数が4.554×1084個の場合。
全てのダークマターが1秒間に作る磁気の光子のエネルギー÷全ての原子が1秒間に作る磁気の光子のエネルギー＝2.035×1068J÷(9.338×1066J)＝21.793(倍)
６．    各時代における、ダークマターが1秒間に作る磁気の光子のエネルギーはいくらか。
各時代におけるダークマターが1秒間に作る磁気の光子のエネルギー。
10−14m時代。
ダークマターである自転する電子のラブが1秒間に作る磁気の光子のエネルギーは、4.468×10−17Jです。
ダークマターである自転する陽子のラブが1秒間に作る磁気の光子のエネルギーは、2.433×10−20Jです。
よって、ダークマターが1秒間に作る磁気の光子のエネルギーは4.468×10−17Jです。
ダークマターが1秒間に作る磁気の光子のエネルギーは、高エネルギーの場になるほど、高エネルギーになる。
○各時代を電子のラブの公転軌道で表し、その公転軌道を10amとすると、ダークマターが1秒間に作る磁気の光子のエネルギーはどのような式で求められるか。
10am時代における、ダークマターが1秒間に作る磁気の光子のエネルギー＝4.468×10−17J×10−14−a＝4.468×10−31−aJ
10-20m時代。
ダークマターが1秒間に作る磁気の光子のエネルギー＝4.468×10−31−aJ＝4.468×10−31＋20J＝4.468×10−11J
10-19m時代。
ダークマターが1秒間に作る磁気の光子のエネルギー＝4.468×10−31＋19J＝4.468×10−12J
10-18m時代。
ダークマターが1秒間に作る磁気の光子のエネルギー＝4.468×10−31＋18J＝4.468×10−13J
10-17m時代。
ダークマターが1秒間に作る磁気の光子のエネルギー＝4.468×10−31＋17J＝4.468×10−14J
10-16m時代。
ダークマターが1秒間に作る磁気の光子のエネルギー＝4.468×10−31＋16J＝4.468×10−15J
10-15m時代。
ダークマターが1秒間に作る磁気の光子のエネルギー＝4.468×10−31＋15J＝4.468×10−16J
10-14m時代。
ダークマターが1秒間に作る磁気の光子のエネルギー＝4.468×10−31＋14J＝4.468×10−17J
10-13m時代。
ダークマターが1秒間に作る磁気の光子のエネルギー＝4.468×10−31＋13J＝4.468×10−18J
10-12m時代。
ダークマターが1秒間に作る磁気の光子のエネルギー＝4.468×10−31＋12J＝4.468×10−19J
10-11m時代。
ダークマターが1秒間に作る磁気の光子のエネルギー＝4.468×10−31＋11J＝4.468×10−20J
10-10m時代。
ダークマターが1秒間に作る磁気の光子のエネルギー＝4.468×10−31＋10J＝4.468×10−21J
７．    各時代における、原子が1秒間に作る磁気の光子のエネルギーはいくらか。
10−14m時代、
10−14m時代における原子が1秒間に作る磁気の光子のエネルギーは、7.382×10−16Jですから、
10am時代における、原子が1秒間に作る磁気の光子のエネルギーは、7.382×10−16J×10−14−a=7.382×10−30−aJ、です。
10-20m時代。
原子が1秒間に作る磁気の光子のエネルギー＝7.382×10−30＋20J＝7.382×10−10J
10-19m時代。
原子が1秒間に作る磁気の光子のエネルギー＝7.382×10−30＋19J＝7.382×10−11J
10-18m時代。
原子が1秒間に作る磁気の光子のエネルギー＝7.382×10−30＋18J＝7.382×10−12J
10-17m時代。
原子が1秒間に作る磁気の光子のエネルギー＝7.382×10−30＋17J＝7.382×10−13J
10-16m時代。
原子が1秒間に作る磁気の光子のエネルギー＝7.382×10−30+16J＝7.382×10−14J
10-15m時代。
原子が1秒間に作る磁気の光子のエネルギー＝7.382×10−30+15J＝7.382×10−15J
10-14m時代。
原子が1秒間に作る磁気の光子のエネルギー＝7.382×10−30+14J＝7.382×10−16J
10-13m時代。
原子が1秒間に作る磁気の光子のエネルギー＝7.382×10−30+13J＝7.382×10−17J
10-12m時代。
原子が1秒間に作る磁気の光子のエネルギー＝7.382×10−30+12J＝7.382×10−18J
10-11m時代。
原子が1秒間に作る磁気の光子のエネルギー＝7.382×10−30+11J＝7.382×10−19J
10-10m時代。
原子が1秒間に作る磁気の光子のエネルギー＝7.382×10−30+10J＝7.382×10−20J
８．    360個のダークマターが1秒間に作る磁気の光子のエネルギーの式はどのようであるか。
360個のダークマターが1秒間に作る磁気の光子のエネルギー＝360個×ダークマターが1秒間に作る磁気の光子のエネルギー＝360個×4.468×10−31−aJ＝1.608×10−28−a J.
９．    360個のダークマターが1秒間に作る磁気の光子のエネルギーは、１個の原子が1秒間に作る磁気の光子のエネルギーの何倍か。
360個のダークマターが1秒間に作る磁気の光子のエネルギー÷１個の原子が1秒間に作る磁気の光子のエネルギー＝1.608×10−28−a J÷(7.382×10−30−aJ)＝21.783(倍)
360個のダークマターが1秒間に作る磁気の光子のエネルギーは、１個の原子が1秒間に作る磁気の光子のエネルギーの21.783倍です。
１０．    1m3の原子が1秒間に作る磁気の光子のエネルギーの式はどのようであるか。
1m3の原子が1秒間に作る磁気の光子のエネルギー＝1m3の原子数×原子が1秒間に作る磁気の光子のエネルギー＝1030−3a個÷360×7.382×10−30−aJ＝2.510×10−2-4aJ
１１．    1m3のダークマターが1秒間に作る磁気の光子のエネルギーの式はどのようであるか。
1m3のダークマターが1秒間に作る磁気の光子のエネルギー＝1m3のダークマター数×ダークマターが1秒間に作る磁気の光子のエネルギー＝1030−3a個×4.468×10−31−aJ＝4.468×10−1−4a
１２．    1m3のダークマターが1秒間に作る磁気の光子のエネルギーは、1m3の原子が1秒間に作る磁気の光子のエネルギーの何倍か。
1m3のダークマターが1秒間に作る磁気の光子のエネルギー÷1m3の原子が1秒間に作る磁気の光子のエネルギー＝4.468×10−1−4a÷(2.510×10−2-4aJ)＝21.784(倍)
1m3のダークマターが1秒間に作る磁気の光子のエネルギーは、1m3の原子が1秒間に作る磁気の光子のエネルギーの21.784倍です。
１３．    宇宙の原子が1秒間に作る磁気の光子のエネルギー。 原子数＝2.992×1076個の場合の式はどのようであるか。
宇宙の原子が1秒間に作る磁気の光子のエネルギー＝原子が1秒間に作る磁気の光子のエネルギー×原子数＝7.382×10−30−aJ×2.992×1076個＝2.209×1047-aJ
１４．    宇宙のダークマターが1秒間に作る磁気の光子のエネルギー。ダークマター数＝1.077×1079個の場合の式はどのようであるか。
宇宙のダークマターが1秒間に作る磁気の光子のエネルギー＝ダークマターが1秒間に作る磁気の光子のエネルギー×ダークマター数＝4.468×10−31−aJ×1.077×1079個＝4.812×1048−aJ
１５．    宇宙のダークマターが1秒間に作る磁気の光子のエネルギーは、宇宙の原子が1秒間に作る磁気の光子のエネルギーの何倍か。ダークマター数＝1.077×1079個の場合。
宇宙のダークマターが1秒間に作る磁気の光子のエネルギー÷宇宙の原子が1秒間に作る磁気の光子のエネルギー＝4.812×10−48−aJ÷(2.209×1047-aJ)＝21.784(倍)
宇宙のダークマターが1秒間に作る磁気の光子のエネルギーは、宇宙の原子が1秒間に作る磁気の光子のエネルギーの21.784倍です。
１６．    宇宙の原子が1秒間に作る磁気の光子のエネルギー。 原子数＝1.265×1082個の場合の式はどのようであるか。
宇宙の原子が1秒間に作る磁気の光子のエネルギー＝原子が1秒間に作る磁気の光子のエネルギー×原子数＝7.382×10−30−aJ×1.265×1082個＝9.338×1052−aJ.
１７．    宇宙のダークマターが1秒間に作る磁気の光子のエネルギー。ダークマター数＝4.554×1084個の場合の式はどのようであるか。
宇宙のダークマターが1秒間に作る磁気の光子のエネルギー＝ダークマターが1秒間に作る磁気の光子のエネルギー×ダークマター数＝4.468×10−31−aJ×4.554×1084個＝2.035×1054−aJ.
１８．    宇宙のダークマターが1秒間に作る磁気の光子のエネルギーは、宇宙の原子が1秒間に作る磁気の光子のエネルギーの何倍か。ダークマター数＝4.554×1084個の場合。
宇宙のダークマターが1秒間に作る磁気の光子のエネルギー÷宇宙の原子が1秒間に作る磁気の光子のエネルギー＝2.035×1054−aJ÷(9.338×1052−aJ)＝21.793(倍)
宇宙のダークマターが1秒間に作る磁気の光子のエネルギーは、宇宙の原子が1秒間に作る磁気の光子のエネルギーの21.793倍です。
１９．  宇宙のダークマターが1秒間に作る磁気の光子のエネルギーは、宇宙の原子が1秒間に作る磁気の光子のエネルギーの21.793倍であることは、100分率で表すとどのようであるか。
宇宙のダークマターが1秒間に作る磁気の光子のエネルギーは、宇宙の原子が1秒間に作る磁気の光子のエネルギーの21.784倍です。
これを百分率で示す。
宇宙のダークマターが1秒間に作る磁気の光子のエネルギー：宇宙の原子が1秒間に作る磁気の光子のエネルギー＝21.78：１＝ｘ：ｙ    
x＋y＝100    x＝100−ｙ    100−y＝21.78ｙ    100＝22.78ｙ    ｙ＝100÷22.78＝4.390    ｘ＝100−4.390＝95.61
よって、宇宙のダークマターが1秒間に作る磁気の光子のエネルギー：宇宙の原子が1秒間に作る磁気の光子のエネルギー＝21.78：１＝95.61：4.390＝95.61％：4.390％、である。
まとめて表に記す。
表1
2014087112.tif 000003
2014087112.tif 000004
【産業上の利用可能性】
【０００９】
ダークマターは自転する電子のラブと自転する陽子のラブですから、これを利用する技術が発明できたら、産業に利用できる。
【符号の説明】
【００１０】
1    ダークマターの数
２    原子数
４    ダークマターの数：原子の数＝360：１
５    宇宙のダークマターが1秒間に作る磁気の光子のエネルギー
６    宇宙の原子が1秒間に作る磁気の光子のエネルギー
７    宇宙のダークマターが1秒間に作る磁気の光子のエネルギー：宇宙の原子が1秒間に作る磁気の光子のエネルギー＝95.61％：4.390％
【図１】
2014087112.tif 000007